(57)【要約】【課題】マイクロストリップラインのトリミングによってＱ値の劣化を招くことなく、各種の周波数帯への調整を可能とする。【解決手段】電圧制御発振器は、発振用トランジスタのベースに接続された共振回路を有しており、この共振回路には、バラクタダイオードとともにマイクロストリップライン１０が設けられている。マイクロストリップライン１０は、その一端が制御端子に接続されており、他端がビア７を介してグランド電極に接続されている。またマイクロストリップライン１０は、その一端に位置する入力導体部１０ｂから他端に位置する接地導体部１０ｅに至る導電路がスパイラル形状をなしており、導電路の途中が粗調用導電体１０ａを介してグランドに接続されている。【選択図】図２
2011029886.tif 000002
【特許請求の範囲】
【請求項１】
発振信号を出力する発振用トランジスタと、
前記発振用トランジスタとともに基板上に形成され、一端が前記発振用トランジスタに接続されるとともに他端が前記基板に形成されたグランド電極に接続されることにより、その一端から前記グランド電極までの線路長に応じて前記発振信号の周波数を決定する周波数決定素子の一部を構成するマイクロストリップラインと、
前記マイクロストリップラインの一端と他端との間を前記グランド電極に接続することにより、この接続状態で前記マイクロストリップラインの線路長を短縮する粗調用導電体と
を備えた発振器。
【請求項２】
請求項１に記載の発振器であって、
前記粗調用導電体は、
前記マイクロストリップラインの一端から他端までの間にて、複数の箇所をそれぞれ前記グランド電極接続するべく複数に設けられていることを特徴とする発振器。
【請求項３】
請求項１又は２に記載の発振器であって、
前記マイクロストリップラインは、
前記基板上でその一端から他端に向かって渦巻き状に形成されており、
前記グランド電極は、
前記マイクロストリップラインの他端に形成されたグランド端であることを特徴とする発振器。
【請求項４】
請求項１又は２に記載の発振器であって、
前記マイクロストリップラインは、
前記基板上でその一端から他端に向かって渦巻き状に形成されており、
前記グランド電極は、
前記マイクロストリップラインの他端から前記渦巻きの外周に沿う領域に形成されていることを特徴とする発振器。
【請求項５】
請求項１から４のいずれかに記載の発振器であって、
前記粗調用導電体は、
前記グランド電極からみて前記マイクロストリップラインの一端から他端までの間と前記グランド電極とを接続する領域に前記マイクロストリップラインの導電方向に沿う長さを有しており、前記領域の部分的な除去に伴う長さの短縮に応じて前記マイクロストリップラインの線路長を延長することを特徴とする発振器。
【発明の詳細な説明】
【技術分野】
【０００１】
本発明は、発振周波数帯の粗調整に適したマイクロストリップラインを有する発振器に関する。
【背景技術】
【０００２】
この種の発振器に関して従来、基板上面に形成されたマイクロストリップラインを部分的にトリミングすることで、発振周波数帯の粗調整を行う先行技術が知られている（例えば、特許文献１参照）。この先行技術は、基板上面にて互いに並列に接続された第１及び第２の共振回路を構成したものであり、各共振回路はそれぞれ第１及び第２のマイクロストリップラインを有している。第１のマイクロストリップラインと第２のマイクロストリップラインとは基板上面で互いに平行に配置されており、これら第１のマイクロストリップラインの他端と第２のマイクロストリップラインの他端とは、さらに第３のマイクロストリップラインを介して相互に接続されている。また、基板には第３のマイクロストリップラインに対応する位置に複数のスルーホールが形成されており、これらスルーホールを介して基板の下面に位置する接地導体と第３のマイクロストリップラインとが接続されている。
【０００３】
上記の先行技術では、複数あるスルーホールのうち、その一部を第１のマイクロストリップラインに近いものから順にトリミング（例えばドリル加工により切削）していくことで、第１のマイクロストリップラインに第３のマイクロストリップラインの一部を追加し、接地点までの線路長を変化させてインダクタンス値を段階的に変化させることができる。各スルーホールの位置は予め決まっているため、これらを順にどこまでトリミングすれば、発振周波数をどの程度まで粗調整することができるかは事前に明らかである。このため上記の先行技術によれば、トリミングするスルーホールの個数に応じて発振周波数の粗調整を迅速かつ用意に行うことができると考えられる。
【先行技術文献】
【特許文献】
【０００４】
【特許文献１】特開２００１−９４３４６号公報（第３頁、図２、図３）
【発明の概要】
【発明が解決しようとする課題】
【０００５】
しかしながら、上述した先行技術のように発振周波数を調整する際、マイクロストリップラインを含めてスルーホールを切削してしまうと、それだけマイクロストリップラインの線路幅が狭くなるため、Ｑ値の劣化を招くという問題がある。一般的にＱ特性は、マイクロストリップラインの線路上で最も幅が狭い部分の影響を受けやすいことから、先行技術のようにトリミングによってマイクロストリップラインの幅が極端に狭められる場合、周波数の調整と引き替えにＱ値の劣化が生じやすい。
【０００６】
そこで、本発明は、マイクロストリップラインのトリミングによってＱ値の劣化を招くことなく、各種の周波数帯への調整を可能とする技術の提供を課題とする。
【課題を解決するための手段】
【０００７】
本発明の発振器は、発振信号を出力する発振用トランジスタと、この発振用トランジスタとともに基板上に形成され、一端が発振用トランジスタに接続されるとともに他端が基板に形成されたグランド電極に接続されることにより、その一端からグランド電極までの線路長に応じて発振信号の周波数を決定する周波数決定素子の一部を構成するマイクロストリップラインと、このマイクロストリップラインの一端と他端との間をグランド電極に接続することにより、この接続状態でマイクロストリップラインの線路長を短縮する粗調用導電体とを備えた構成である。
【０００８】
本発明の発振器によれば、発振周波数を決定する素子の一部を構成するマイクロストリップラインに対し、これとは別の粗調用導電体を用いて発振周波数の調整を行うことができる。すなわち、粗調用導電体は、基板上でマイクロストリップラインの一端から他端までの間をグランド電極に接続しており、この状態でマイクロストリップラインの一端からグランド電極に至る線路長を短縮している。したがって、粗調用導電体が基板上に配置（存置）された状態では、短縮された線路長（インダクタンスが小）に基づいて発振信号の周波数が決定されるため、この場合は発振用トランジスタによる発振信号の周波数帯が比較的高く設定されることになる。
【０００９】
一方、粗調用導電体が基板上から除去された状態では、マイクロストリップラインの線路長が本来の一端から他端（グランド電極）に至る全範囲の長さとなる。この場合の発振信号の周波数帯は、マイクロストリップラインが本来有する線路長（インダクタンスが大）に基づいて決定されるため、発振用トランジスタによる発振信号の周波数帯は比較的低く設定されることになる。
【００１０】
このように本発明では、マイクロストリップラインとは別の粗調用導電体を基板上かから除去することでその発振周波数を大きく変化させることができるため、同じ形態の基板（マイクロストリップラインのパターン）で複数の周波数帯に対応することができる。しかも、粗調用導電体を除去する前と後でマイクロストリップラインの線路幅は変化しないため、周波数帯の調整によってＱ値の劣化を招くことがない。
【００１１】
上記の粗調用導電体は、マイクロストリップラインの一端から他端までの間にて、複数の箇所をそれぞれグランド電極接続するべく複数に設けられていることが好ましい。
【００１２】
このような形態であれば、基板上から除去する粗調用導電体の数に応じて３段階以上の周波数帯に調整することができる。すなわち、複数あるうちの全ての粗調用導電体を存置（配置）させた状態では、発振周波数帯を最も高く調整することができる（１段階目）。次に１つの粗調用導電体を除去すれば、その分だけ発振周波数帯を低く調整することができる（２段階目）。さらに２つ目以降の粗調用導電体を順に除去していけば、その除去した数に応じて３段階以上に発振周波数帯を低く調整していくことができる。
【００１３】
上記のマイクロストリップラインは、基板上でその一端から他端に向かって渦巻き状に形成されており、グランド電極は、マイクロストリップラインの他端に形成されたグランド端であることが好ましい。
【００１４】
あるいは、マイクロストリップラインが基板上でその一端から他端に向かって渦巻き状に形成されている場合、グランド電極がマイクロストリップラインの他端から渦巻きの外周に沿う領域に形成されている形態であってもよい。
【００１５】
上述したいずれかの形態であれば、マイクロストリップラインに必要な全長（一端から他端までの線路長）を確保しつつ、基板上でマイクロストリップラインが占める領域の縦横の寸法をなるべく小さく抑えることができる。この場合、マイクロストリップラインの必要な長さに応じて面積は一定（不変）であるが、限られた基板面内で充分な長さを有したマイクロストリップラインを形成することができる。この点、マイクロストリップラインを直線状の形態とすると、その全長をカバーできるだけの幅寸法を有した基板が必要となるが、本発明では渦巻き状にマイクロストリップラインを形成することで、なるべく基板の寸法を小さく抑えることができる。
【００１６】
本発明において、粗調用導電体は、グランド電極からみてマイクロストリップラインの一端から他端までの間とグランド電極とを接続する領域にマイクロストリップラインの導電方向に沿う長さを有しており、その領域の部分的な除去に伴う長さの短縮に応じてマイクロストリップラインの線路長を延長することができる。
【００１７】
このような構成であれば、粗調用導電体を存置（配置）するか、それとも除去するかのいずれかだけで発振周波数帯を大きく調整するだけでなく、その長さを連続的に短縮していくことで、連続した粗調整や微調整が可能になる。
【発明の効果】
【００１８】
以上のように本発明の発振器は、その発振周波数を容易に調整することができる上、その調整の前後でＱ値を劣化させることがない。これにより、複数の周波数帯で常に安定した特性を得ることができ、発振器としての品質を高く維持することができる。
【図面の簡単な説明】
【００１９】
【図１】第１実施形態の電圧制御発振器の構成を概略的に示す回路図である。
【図２】第１実施形態の電圧制御発振器に適用されたマイクロストリップラインの構成を具体的に示す平面図である。
【図３】粗調用導電体を除去した場合（トリミング後）のマイクロストリップラインを示す平面図である。
【図４】第２実施形態の電圧制御発振器に適用されたマイクロストリップラインの構成例を示す平面図である。
【図５】一方の粗調用導電体を除去した場合（第１段階のトリミング後）のマイクロストリップラインを示す平面図である。
【図６】他方の粗調用導電体を除去した場合（第２段階のトリミング後）のマイクロストリップラインを示す平面図である。
【図７】第３実施形態の電圧制御発振器に適用されたマイクロストリップラインの構成例を示す平面図である。
【図８】マイクロストリップラインにおける粗調用導電体のトリミング例を示す図である。
【発明を実施するための形態】
【００２０】
以下、本発明の実施形態について図面を参照しながら説明する。なお、以下の説明ではバラクダタイオードを用いて発振周波数を電圧制御する電圧制御発振器（ＶＣＯ）としての実施形態を挙げているが、本発明は電圧制御発振器の形態に限られることはない。
【００２１】
図１は、第１実施形態の電圧制御発振器１の構成を概略的に示す回路図である。この電圧制御発振器１は、例えば図示しない基板上面に形成された配線パターンをはじめ、基板上に実装された各種の回路素子（トランジスタ、抵抗、コンデンサ等）から構成されている。また図示していないが、基板上には回路全体を覆う状態で金属カバーが設けられている。以下、電圧制御発振器１の回路構成について説明する。
【００２２】
電圧制御回路１は主に、発振用トランジスタ３及びタンク回路４を有している。またタンク回路４には、２つの帰還コンデンサ４３，４４及びバイアス抵抗５２，５３とともに共振回路２が含まれている。このような電圧制御発振器１は、結合コンデンサ４５を介して発振用トランジスタ３のベースが共振回路２の一端に接続されたコルピッツ型発振回路を基本として構成されている。
【００２３】
すなわち、発振用トランジスタ３のコレクタは電源（Ｖｃｃ）に接続されるとともに、バイパスコンデンサ４１を介して高周波的に接地されている。また発振用トランジスタ３のエミッタは、エミッタバイアス抵抗５１を介して接地されている。そして発振用トランジスタ３のベースには、互いに直列接続された２つのベースバイアス抵抗５２，５３の接続点からバイアス電圧が印加されている。
【００２４】
タンク回路４内の帰還コンデンサ４３，４４のうち、一方の帰還コンデンサ４３は発振用トランジスタ３のエミッタとベースとの間を接続している。また他方の帰還コンデンサ４４は、回路上で発振用トランジスタ３のコレクタ（接地された状態）とエミッタとの間に接続されている。なお、発振用トランジスタ３のベースと共振回路２の間に接続された結合コンデンサ４５は、タンク回路４内のインピーダンスを調整するものである。
【００２５】
上記の共振回路２は、バラクタダイオード１８及びマイクロストリップライン１０を有している。共振回路２にはチョークインダクタ９を介して制御端子から制御電圧が入力されており、この共振回路２内ではバラクタダイオード１８のカソードがマイクロストリップライン１０の一端と並列に接続されている。またバラクタダイオード１８のアノードとマイクロストリップライン１０の他端はそれぞれ接地されている。なお制御端子は、別のバイパスコンデンサ４６を介して高周波的に接地されている。
【００２６】
制御端子を通じて制御電圧が印加されると、バラクタダイオード１８の静電容量が変化し、共振回路２の共振周波数が変化する。これにより、電圧制御発振器１は全体としての発振周波数を制御電圧によって制御することができる。このとき共振回路２の共振周波数は、バラクタダイオード１８の容量の他にマイクロストリップライン１０のインダクタンスにも依存して決定される。このため電圧制御発振器１は、マイクロストリップライン１０のインダクタンス（主に線路長）をトリミングにより変化させることで、その発振周波数を調整（粗調整）することができる。
【００２７】
第１実施形態の電圧制御発振器１は、上記のような発振周波数の粗調整に適したマイクロストリップライン１０を有しており、特にこのマイクロストリップライン１０は、そのトリミングの前後で電圧制御発振器１の発振周波数帯を大きく変化させることができる。
【００２８】
図２は、第１実施形態の電圧制御発振器１に適用されたマイクロストリップライン１０の構成を具体的に示す平面図である。
【００２９】
〔トリミング前の構成〕
図２中（Ａ）：上記のようにマイクロストリップライン１０は、その一端が制御端子（ここでは図示されていない）に接続されており、他端が回路上でグランドに接続されている。図示しない基板には、マイクロストリップライン１０の他端位置に例えば複数のビア７が形成されており、マイクロストリップライン１０の他端は、これらビア７を介して図示しないグランド電極に接続されている。またグランド電極は、例えば図示しない基板の下面に形成されている。
【００３０】
マイクロストリップライン１０は、その一端に信号入力端６を有しており、ここから他端（接地）に至までの間の線路がスパイラル形状（渦巻き形状）をなしている。この例では、マイクロストリップライン１０の一端がスパイラル（渦巻き）の外側に位置し、他端がスパイラルの中心側に位置している。より具体的には、マイクロストリップライン１０は、スパイラルの外側に位置する一端の部位を入力導体部１０ｂとし、さらに中心側に位置する他端の部位を接地導体部１０ｅとすると、これら導体部１０ｂ，１０ｅの間に２つの中間導体部１０ｃ，１０ｄを介在させた構成である。これら４つの導体部１０ｂ〜１０ｅは、マイクロストリップライン１０の一端（入力信号端６）から他端に向かって順に直列に接続されている。
【００３１】
このうち、入力導体部１０ｂと１つ目の中間導体部１０ｃとは基板上で互いに略直角に配置されており、また、この中間導体部１０ｃと２つ目の中間導体部１０ｄとが基板上で互いに略直角に配置されている。さらに、２つ目の中間導体部１０ｄと接地導体部１０ｅとは基板上で互いに略直角に配置されている。このように、４つの導体部１０ｂ，１０ｃ，１０ｄ，１０ｅが順に直角に配置された状態で順に直列に接続されることにより、マイクロストリップライン１０は全体として角形の渦巻き形状を構成する。
【００３２】
以上の導体部１０ｂ〜１０ｅはいずれも、マイクロストリップライン１０の一端から他端まで至る線路（導電路）を構成するものである。この他にマイクロストリップライン１０には、粗調用導電体１０ａが接続されている。この粗調用導電体１０ａは、他の導体部１０ｂ〜１０ｅと同じ導電パターンとして基板上に形成されているが、第１実施形態では特に、粗調用導電体１０ａが基板上で接地導体部１０ｅと中間導体部１０ｃとをブリッジするようにして配置されている。これによりマイクロストリップライン１０は、その一端から他端までの間に位置する中間導電体部１０ｃが粗調用導電体１０ａを介してグランド電極に接続された状態にある。この例では、４つの導体部１０ｂ〜１０ｅに粗調用導電体１０ａを加えると、その全体がちょうど数字の「６」を描いた形状をなしている。
【００３３】
〔トリミング前の線路長〕
図２中（Ｂ）：上記の粗調用導電体１０ａを基板上に存置させた状態（トリミング前）で共振回路２に制御電圧が入力（印加）されると、図中に矢印で示されるように、信号入力端６から入力導体部１０ｂ、導電方向でみて中間導体部１０ｃの上流側の一部、そして中間導体部１０ｃの途中から粗調用導電体１０ａを経由してビア７に至るまでの最短範囲がマイクロストリップライン１０としての導電路となる。この場合、導電方向でみて粗調用導電体１０ａよりも下流側に位置する中間導体部１０ｃの一部から次の中間導体部１０ｄ、そしてビア７の手前の接地導体部１０ｅに至るまでの範囲は導電にほとんど寄与しないことから、それだけマイクロストリップライン１０の線路長が短縮されていることになる。
【００３４】
上記のように粗調用導電体１０ａを存置させた状態では、マイクロストリップライン１０の線路長を短縮（本来の一端から他端までの全長よりも短縮）した状態でそのインダクタンスが決定されることになる。第１実施形態では、このときに共振回路２の共振周波数（電圧制御発振器１の発振周波数）を例えば２ＧＨｚ帯に調整することができるものとなっている。
【００３５】
次に図３は、粗調用導電体１０ａを除去した場合（トリミング後）のマイクロストリップライン１０を示す平面図である。なお粗調用導電体１０ａは、例えば自動機械（ドリル加工機やレーザ照射器等）を用いて基板上から用意に除去することができる。
【００３６】
〔トリミング後〕
図３中（Ａ）：上記の粗調用導電体１０ａをトリミングによって基板上から除去すると、マイクロストリップライン１０はその信号入力端６から入力導体部１０ｂ、１つ目の中間導体部１０ｃ、２つ目の中間導体部１０ｄ及び接地導体部１０ｅだけで構成された状態となる。
【００３７】
〔トリミング後の線路長〕
図３中（Ｂ）：トリミング後の状態で共振回路２に制御電圧が入力（印加）されると、図中に矢印で表されるように、今度は信号入力端６から入力導体部１０ｂ、１つ目の中間導体部１０ｃ、次に２つ目の中間導体部１０ｄ、そして接地導体部１０ｅを通ってビア７に至るまでの範囲がマイクロストリップライン１０としての導電路となる。この場合、１つ目の中間導体部１０ｃの全体に加えて次の中間導体部１０ｄ、そしてビア７の手前の接地導体部１０ｅに至るまでの範囲が全て導電に寄与することから、それだけトリミング前よりもマイクロストリップライン１０の線路長が延長されたことになる。
【００３８】
このように粗調用導電体１０ａを除去した状態では、マイクロストリップライン１０の線路長をトリミング前よりも延長した状態（本来の全長）でそのインダクタンスが決定されることになる。なお第１実施形態では、このとき共振回路２の共振周波数（電圧制御発振器１の発振周波数）を例えば１．５ＧＨｚ帯に調整することができるものとなっている。
【００３９】
このようにマイクロストリップライン１０では、その一端（入力信号端６）と他端との間に位置する中間導体部１０ｃをグランド電極に接続（短絡）する箇所に予め粗調用導電体１０ａが形成されているため、そのトリミング前において全体としての線路長を本来より短くすることができる。したがって、トリミング前の状態では電圧制御発振器１としての発振周波数帯を比較的高く（例えば２ＧＨｚ帯）設定することができる。一方、トリミングによって粗調用導電体１０ａを除去すれば、トリミング前と比較してマイクロストリップライン１０全体としての線路長が長くなる（本来の全長になる）ため、トリミング前よりも低い発振周波数帯への粗調整を容易に行うことができる。
【００４０】
さらに上記のマイクロストリップライン１０は、図３に示されるようトリミング後においてもその線路幅が狭められていない。これにより、トリミングによって発振周波数を粗調整しても、極端なＱ値の低下を招くことがないという利点がある。
【００４１】
〔第２実施形態〕
次に、第２実施形態の電圧制御発振器１について説明する。図４は、第２実施形態の電圧制御発振器１に適用されたマイクロストリップライン１１の構成例を示す平面図である。なお、第２実施形態の電圧制御発振器１は、第１実施形態と異なる構成のマイクロストリップライン１１を適用したものであるが、その他の回路構成については第１実施形態と共通である。以下、第２実施形態に適用されたマイクロストリップライン１１について説明する。
【００４２】
〔トリミング前の構成〕
図４中（Ａ）：第２実施形態で用いるマイクロストリップライン１１もまた、その一端が制御端子（図示されていない）に接続されており、他端が回路上でグランド電極に接続されている。図中に２点鎖線で示されるように、このマイクロストリップライン１１は、その内部の領域に粗調用導電体１１ａ，１１ｂが一体に形成された構成である。
【００４３】
すなわち、マイクロストリップライン１１はその一端の位置に入力導体部１１ｃを有するほか、その他端の位置には接地導体部１１ｆを有している。このうち入力導体部１１ｃは信号入力端６に連なる部分であり、また接地導体部１１ｆは多数のビア７を介して図示しないグランド電極に接続された部分である。また入力導体部１１ｃと接地導体部１１ｆとの間には、２つの中間導体部１１ｄ，１１ｅが配置されている。ただし、トリミング前の状態において、一方の粗調用導電体１１ａが入力導体部１１ｃと接地導体部１１ｆとの間に一体化された状態で介在しており、また、２つの中間導体部１１ｄ，１１ｅと接地導体部１１ｆとの間には、他方の粗調用導電体１１ｂが同じく一体化された状態で介在している。このため見かけ上では、入力導体部１１ｃと接地導体部１１ｆ、さらには中間導体部１１ｄ，１１ｅと接地導体部１１ｆとは同じ導体パターンとして一続きに形成されている。
【００４４】
マイクロストリップライン１１を各部に分けた状態で見ると、先ず入力導体部１１ｃと１つ目の中間導体部１１ｄとが互いに略直角をなして配置されており、また、１つ目の中間導体部１１ｄと２つ目の中間導体部１１ｅとが互いに略直角をなして配置されている。接地導体部１１ｆは、２つ目の中間導体部１１ｅの終端から入力導体部１１ｃに向けて略直角に延び、そこからある程度の大きさを有した矩形状に拡がっている。接地導体部１１ｆには、この矩形状に拡がった領域内に複数のビア７（ここでは１２個）がマトリクス状に配列されている。そして、これら入力導体部１１ｃ、中間導体部１１ｄ，１１ｅ及び接地導体部１１ｆを一続きに見ると、マイクロストリップライン１１はその一端（信号入力端６）から他端（接地）に至るまでの線路がスパイラル形状（渦巻き形状）をなしていることがわかる。
【００４５】
また２つの粗調用導電体１１ａ，１１ｂは、マイクロストリップライン１１内で接地導体部１１ｆを取り囲むようにして直列に配置されている。このうち一方の粗調用導電体１１ａは、入力導体部１１ｃに沿ってスパイラルの内側に配置されており、その外形は図中に２点鎖線で示されるように短冊形状をなしている。この位置で粗調用導電体１１ａは、スパイラルの外側を始端として入力導体部１１ｃと平行に延び、その終端は入力導体部１１ｃと１つ目の中間導体部１１ｄとの接続点にまで達している。他方の中間導体部１１ｂは、２つの中間導体部１１ｄ，１１ｅに沿ってスパイラルの内側に配置されており、その外形は図中に２点鎖線で示されるようにＬ字形状（鍵形状）をなしている。この位置で粗調用導電体１１ｂは、入力導体部１１ｃと１つ目の中間導体部１１ｄとの接続点を始端としてスパイラル方向に延び、その終端が２つ目の中間導体部１１ｅと接地導体部１１ｆとの接続点にまで達している。
【００４６】
〔トリミング前の線路長〕
図４中（Ｂ）：２つの粗調用導電体１１ａ，１１ｂを基板上に存置した状態（トリミング前）で共振回路２に制御電圧が入力（印加）されると、図中に矢印で示されるように、その信号入力端６から導電方向でみて入力導体部１１ｃの上流側の一部、そして一方の粗調用導電体１１ａを経由し、ビア７に至るまでの最短範囲がマイクロストリップライン１１としての導電路となる。この場合、入力導体部１１ｃのうち幅方向でみて粗調用導電体１１ａに隣接する部分から、それ以降の中間導体部１１ｄ，１１ｅ（他方の粗調用導電体１１ｂを含む）に至るまでの範囲はほとんど導電に寄与しないことから、この状態でマイクロストリップライン１１の線路長は最も短縮されていることになる。
【００４７】
上記のように２つの粗調用導電体１１ａ，１１ｂをともに存置させた状態では、マイクロストリップライン１１の線路長を最も短縮した状態でそのインダクタンスが決定されることになる。第２実施形態では、このとき共振回路２の共振周波数（電圧制御発振器１の発振周波数）を例えば２ＧＨｚ帯に調整することができるものとなっている。
【００４８】
次に図５は、２つあるうちの一方の粗調用導電体１１ａを除去した場合（第１段階のトリミング後）のマイクロストリップライン１１を示す平面図である。ここでも粗調用導電体１１ａは、上記のように自動機械を用いて基板上から容易に除去することができる。
【００４９】
〔第１段階のトリミング後〕
図５中（Ａ）：マイクロストリップライン１１に対して第１段階のトリミングを行うことにより、基板上で入力導体部１１ｃと接地導体部１１ｆとの間が分断された状態となっている。なお、他方の粗調用導電体１１ｂは基板上に残存したままである。
【００５０】
〔第１段階のトリミング後の線路長〕
図５中（Ｂ）：第１段階のトリミング後の状態で共振回路２に制御電圧が入力（印加）されると、図中に矢印で示されるように、今度は信号入力端６から入力導体部１１ｃの全体、次に１つ目の中間導体部１１ｄの一部、そして残存する粗調用導電体１１ｂを通ってビア７に至るまでの最短範囲がマイクロストリップライン１１としての導電路となる。この場合、トリミング前と違って入力導体部１１ｃの全体が導電に寄与するとともに、１つ目の中間導体部１１ｄの一部、そして残存する粗調用導電体１１ｂから接地導体部１１ｆのビア７の手前に至るまでの範囲が導電に寄与することになる。したがってこの場合、それだけトリミング前よりもマイクロストリップライン１１の線路長が１段階だけ延長されたことになる。
【００５１】
このように、第１段階のトリミングによって一方の粗調用導電体１１ａを除去した状態では、マイクロストリップライン１１の線路長をトリミング前よりも１段階だけ延長した状態でそのインダクタンスが決定されることとなる。第２実施形態では、このとき共振回路２の共振周波数（電圧制御発進器１の発振周波数）を例えば１．５ＧＨｚ帯に調整することができるものとなっている。
【００５２】
図６は、さらに他方の粗調用導電体１１ｂをも除去した場合（第２段階のトリミング後）のマイクロストリップライン１１を示す平面図である。ここでも同様に、粗調用導電体１１ｂは自動機械を用いて基板上から容易に除去することができる。
【００５３】
〔第２段階のトリミング後〕
図６中（Ａ）：マイクロストリップライン１１に対して第２段階のトリミングを行うことにより、第１段階のトリミング後に加えて、さらに基板上で中間導体部１１ｄと接地導体部１１ｆとの間が分断された状態となる。これによりマイクロストリップライン１１は、見た目上でも全体としてスパイラル形状を有することが明らかとなっている。
【００５４】
〔第２段階のトリミング後の線路長〕
図６中（Ｂ）：第２段階のトリミング後の状態で共振回路２に制御電圧が入力（印加）されると、図中に矢印で示されるように、今度は信号入力端６から入力導体部１１ｃの全体、次に１つ目の中間導体部１１ｄの全体、さらに２つ目の中間導体部１１ｅの全体、そして接地導体部１１ｆを通ってビア７に至るまでの範囲がマイクロストリップライン１１としての導電路となる。この場合、トリミング前や第１段階のトリミング後と違って、マイクロストリップライン１１はその一端から他端に至るまでの全ての範囲が導電に寄与することから、その線路長は最も延長されたことになる。
【００５５】
このように、第２段階のトリミングによって他方の粗調用導電体１１ｂをも除去した状態では、マイクロストリップライン１１の線路長を最も長くした状態でそのインダクタンスが決定されることになる。第２実施形態では、このとき共振回路２の共振周波数（電圧制御発振器１の発振周波数）を例えば１ＧＨｚ帯に調整することができるものとなっている。
【００５６】
第２実施形態の電圧制御発振器１に適用されるマイクロストリップライン１１は、その一端（信号入力端６）と他端（ビア７）との間に位置する入力導体部１１ｃをグランド電極に接続（短絡）させる箇所に予め一方の粗調用導電体１１ａが形成されており、さらに中間導電体１１ｄ，１１ｅをグランド電極に接続（短絡）させる箇所には他方の粗調用導電体１１ｂが予め形成されているため、例えば以下のような粗調整が可能となる。
【００５７】
（１）すなわち、マイクロストリップライン１１のトリミング前は、全体としての線路長を最も短くすることができ、この状態で電圧制御発振器１としての発振周波数帯を比較的高く（例えば２ＧＨＺ帯）設定することができる。
【００５８】
（２）次に、第１段階のトリミングによって一方の粗調用導電体１１ａを除去すれば、トリミング前と比較してマイクロストリップライン１１全体としての線路長を１段階だけ長くすることができるため、トリミング前と比較して１段階だけ低い発振周波数帯への粗調整を容易に行うことができる。
【００５９】
（３）そして、第２段階のトリミングによって他方の粗調用導電体１１ｂをも除去すれば、マイクロストリップライン１１全体としての線路長が最も長くなるため、その結果、最も低い発振周波数帯への粗調整を容易に行うことができる。
【００６０】
また第２実施形態についても、上記のマイクロストリップライン１１は、第１及び第２段階のトリミング後において、いずれもその線路幅（最小の幅）が狭められていない。このため第２実施形態でも同様に、マイクロストリップライン１１のトリミングによって発振周波数帯を粗調整しても、それによって極端なＱ値の低下を招くことがないという利点がある。
【００６１】
〔第２実施形態の変形〕
さらに第２実施形態については、粗調用導電体１１ａ，１１ｂを２つに分けてトリミングする以外に、これらを一続きの粗調用導電体領域として捉えることもできる。この場合、粗調用導電体（符号１１ａ、１１ｂ）は全体としてある程度の長さを有しており、トリミングによってその一部を段階的に除去していき、残存する領域の長さを連続的に短くしていくことにより、発振周波数帯の粗調整を連続的に行うことが可能となる。
【００６２】
この点、例えば従来の一般的な粗調整において、発振周波数帯を大きく変更する場合にマイクロストリップラインの導体パターンそのものを変更するという手法がある。この場合、発振周波数帯ごとにマイクロストリップラインの導体パターンが基板上で占める領域（大きさ、面先）も異なるため、マイクロストリップラインのパターンの変更に合わせて基板レイアウトそのものを変更しなければならない。これに対し、上記の第１実施形態や第２実施形態を採用した場合、粗調整の前後でマイクロストリップライン１０，１１が基板上に占める最大の領域が変化することはない。よって、同一基板上においてマイクロストリップライン１０，１１の導体パターンをそれぞれ同一としても、様々な発振周波数帯に対応した粗調整を容易に実現することができる。
【００６３】
〔第３実施形態〕
図７は、第３実施形態の電圧制御発振器１に適用されたマイクロストリップライン１２の構成例を示す平面図である。第３実施形態の電圧制御発振器１もまた、第１，第２実施形態とは異なる構成のマイクロストリップライン１２を適用したものであるが、その他の回路構成については第１，第２実施形態と共通である。以下、第３実施形態に適用されたマイクロストリップライン１２について説明する。
【００６４】
〔トリミング前の構成〕
図７中（Ａ）：第３実施形態で用いるマイクロストリップライン１２についても同様に、その一端が（信号入力端６）が制御端子（図示されていない）に接続されており、他端が回路上でグランド電極に接続されている。この第３実施形態で用いるマイクロストリップライン１２は、その外縁部（スパイラルの外側）に粗調用導体部１２ａを有している。
【００６５】
すなわちマイクロストリップライン１２は、その一端の位置に入力導体部１２ｂを有するほか、その他端の位置に接地導体部１２ｅを有している。このうち入力導体部１２ｂは信号入力端６に連なる部分であり、また接地導体部１２ｅは多数のビア７を介して図示しないグランド電極に接続された部分である。また入力導体部１２ｂと接地導体部１２ｅとの間には、２つの中間導体部１２ｃ，１２ｄが配置されている。この例においても、マイクロストリップライン１２の一端がスパイラル（渦巻き）の外側に位置し、他端がスパイラルの中心側に位置している。
【００６６】
上記の入力導体部１２ｂと１つ目の中間導体部１２ｃとは基板上で互いに略直角に配置されており、また、この中間導体部１２ｃと２つ目の中間導体部１２ｄとが基板上で互いに略直角に配置されている。さらに、２つ目の中間導体部１２ｄと接地導体部１２ｅとが基板上で互いに略直角に配置されている。そして、これら４つの導体部１２ｂ，１２ｃ，１２ｄ，１２ｅが順に直角に配置された状態で直列に接続されていることにより、マイクロストリップライン１２は全体として角形の渦巻き形状を構成する。
【００６７】
そして、このマイクロストリップライン１２では、上記のようにスパイラルの外側に粗調用導電体１２ａが配置されている。すなわち粗調用導電体１２ａは、例えば１つ目の中間導体部１２ｃと２つ目の中間導体部１２ｄとの接続点辺りからスパイラルの外側に張り出し、そのまま中間導体部１２ｄ及びこれに連なる接地導体部１２ｅの外側を延びている。なお粗調用導電体１２ａには、その外縁部に沿って複数のビア８が形成されており、この例では粗調用導電体１２ａがこれらビア８を介して図示しないグランド電極に接続されている。
【００６８】
〔トリミング前の線路長〕
図７中（Ｂ）：粗調用導電体１２ａを基板上に残存させた状態（トリミング前の状態）で共振回路２に制御電圧が入力（印加）されると、図中に矢印で示されるように、その信号入力端６から入力導体部１２ｂ、１つ目の中間導体部１２ｃ、そして２つ目の中間導体部１２ｄの始端領域から外側の粗調用導電体１２ａを経由し、外縁部のビア８に至るまでの最短範囲がマイクロストリップライン１２としての導電路となる。この場合、導電方向でみて中間導電体１２ｄの始端領域よりも下流の一部から、これに連なる接地導体部１２ｅに至るまでの範囲はほとんど導電に寄与しないことから、それだけマイクロストリップライン１２の線路長が短縮されていることになる。
【００６９】
上記のように粗調用導電体１２ａの全体を存置させた状態では、マイクロストリップライン１２の線路長を最も短縮した状態でそのインダクタンスが決定されることになる。第３実施形態では、このとき共振回路２の共振周波数（電圧制御発振器１の発振周波数）を例えば２ＧＨｚ帯に調整することができるものとなっている。
【００７０】
〔トリミング例〕
図８は、マイクロストリップライン１２における粗調用導電体１２ａのトリミング例を示す図である。
【００７１】
図８中（Ａ）：第３実施形態で用いるマイクロストリップライン１２は、第２実施形態の変形で述べたように、粗調用導電体１２ａを連続的にトリミングする場合に適している。具体的には、図中に一点鎖線の矢印で示されているように、２つの中間導体部１２ｃ，１２ｄの接続点、つまり、２つ目の中間導体部１２ｄの始端領域の外側からその外縁に沿って粗調用導電体１２ａを連続的に除去していくことにより、その除去した分の長さに応じてマイクロストリップライン１２全体としての線路長を連続的に長くしていくことができる。
【００７２】
なお、図８中（Ａ）に示される例では、中間導体部１２ｄの始端領域からその終端領域、つまり、中間導体部１２ｄと接地導体部１２ｅとの接続点辺りに至るまでの範囲にわたって粗調用導電体１２ａがトリミングされていることがわかる。この場合、トリミングによって粗調用導電体１２ａが除去された範囲では、基板上で中間導電体１２ｄから粗調用導電体１２ａのビア８に至る導電路は分断されている。
【００７３】
〔トリミング後の線路長〕
図８中（Ｂ）：したがって、トリミング後の状態で共振回路２に制御電圧が入力（印加）されると、図中に矢印で示されるように、今度は信号入力端６から入力導体部１２ｂ、１つ目の中間導体部１２ｃ、次に２つ目の中間導体部１２ｄ、そして、粗調用導電体１２ａの未だトリミングされていない部分を通って外縁のビア８に至るまでの範囲がマイクロストリップライン１２としての導電路となる。この場合、１つ目の中間導体部１２ｃの全体に加えて次の中間導電体１２ｄ、そしてビア８の手前の粗調用導電体１２ａに至るまでの範囲が全て導通に寄与することから、それだけトリミング前よりもマイクロストリップライン１２の線路長が延長されたことになる。
【００７４】
このように粗調用導電体１２ａを部分的に除去した状態では、そのトリミングした範囲の長さに応じてマイクロストリップライン１２の線路長が延長されるため、その延長後の線路長に応じてインダクタンスが決定されることになる。このため第３実施形態では、粗調用導電体１２ａを除去する範囲の長さに応じて発振周波数帯を連続的に調整することが可能である。
【００７５】
例えば、信号入力端６からの導電方向でみて、粗調用導電体１２ａの始端領域に位置するビア８までの範囲が最短の導電路を形成するものとすると、逆に、導電方向でみて粗調用導電体１２ａの終端領域に位置するビア８までの範囲は最長の導電路を形成する（接地導体部１２ｅのビア７は除外して考える）。したがって、粗調用導電体１２ａの始端位置から終端に向けて連続的にトリミングを進行させていくことで、トリミングした分の長さに応じてマイクロストリップライン１２内の線路長を延長し、それによって発振周波数を連続的に低下させていくことが可能となる。
【００７６】
また第３実施形態においても、トリミングの前後でマイクロストリップライン１２内の線路幅が狭められることはないので、粗調整によってＱ値の低下を招くことはない。
【００７７】
また図示していないが、第３実施形態では粗調用導電体１２ａの全域にわたってトリミングを行うこともできる。この場合、基板上で中間導体部１２ｄ及び接地導体部１２ｅの両方が粗調用導電体１２ａと完全に分断されるため、純粋にマイクロストリップライン１２の一端（信号入力端６）から接地導体部１２ｅのビア７に至るまでの範囲が線路長となり、その長さに応じて発振周波数を調整（例えば１ＧＨｚ帯に調整）することができる。
【００７８】
本発明は、上述した第１〜第３実施形態に制約されることなく、種々に変形して実施することができる。例えば、マイクロストリップライン１０〜１２の形状は図示された例に限らず、その他の形状であってもよい。また各例において、スパイラルの方向は基板上で逆向きであってもよいし、スパイラルの外側と内側が反転してもよい。
【００７９】
また、第１実施形態では１つの粗調用導電体１０ａのみが形成されている例を挙げているが、中間導体部１０ｃと接地導体部１０ｅとの間の領域に２つ以上の粗調用導電体が形成されていてもよい。この場合、トリミングする粗調用導電体の数に応じて３段階（高・中・低）以上の発振周波数帯の調整をすることが可能である。
【００８０】
また第２実施形態では、２つの粗調用導電体１１ａ，１１ｂに分割した例を挙げているが、これらは３つ以上に分割されていてもよい。
【００８１】
さらに、図１に挙げた電圧制御発振器１の回路構成はあくまで一例であり、その他の素子や回路要素を追加して発振器としての回路を構成することが可能である。また、図１では、ベース入力、コレクタ接地の回路を挙げたが、他の入力、接地方式でも良く、例えば、コレクタ入力、ベース接地の回路でもよい。
【符号の説明】
【００８２】
１    電圧制御発振器
２    共振回路
４    タンク回路
３    発振用トランジスタ
６    信号入力端
７，８  ビア
１０，１１，１２  マイクロストリップライン
１０ａ，１１ａ，１１ｂ，１２ａ  粗調用導電体
１０ｂ，１１ｃ，１２ｂ  入力導体部
１０ｃ，１０ｄ，１１ｄ，１１ｅ，１２ｃ，１２ｄ  中間導体部
１０ｅ，１１ｆ，１２ｅ  接地導体部
【図１】
2011029886.tif 000003
【図２】
2011029886.tif 000004
【図３】
2011029886.tif 000005
【図４】
2011029886.tif 000006
【図５】
2011029886.tif 000007
【図６】
2011029886.tif 000008
【図７】
2011029886.tif 000009
【図８】
2011029886.tif 000010